(57)【要約】【課題】バスト部をバスト土台より上方に引き上げてバストアップするブラジャーを得る。【解決手段】少なくともカップ部、土台布部、バック布、ストラップを含むブラジャーにおいて、バストアップ布を設け、該バストアップ布の下端を土台布に、両端一部をバック布と接合する脇部に縫着し、バストアップ布は土台布中央部から左右対称にカップ部の下方を被覆して上方に延び、上端においてストラップに縫着される。バストアップ布は、ブラジャーのカップ部に縫着又は接着されておらず、バストは、ストラップに結合されたバストアップ布によって上方に引き上げられる。【選択図】図１
0003150299.tif 000002
【実用新案登録請求の範囲】
【請求項１】
少なくともカップ部、土台布部、バック布、ストラップを含むブラジャーにおいて、バストアップ布を設け、該バストアップ布の下端が土台布下縁に、バストアップ布の両脇部がバック布と接合する土台布の両脇一部に縫着され、バストアップ布は土台布中央からカップ部を被覆して左右対称に上方に延び、上端においてストラップに縫着されてなるブラジャー。
【請求項２】
前記バストアップ布が、カップ部に縫着又は接着されていないことを特徴とする請求項1に記載のブラジャー。
【請求項３】
前記バストアップ布及びバック布がレース状に形成されたパワーネットで構成されていることを特徴とする請求項１又は請求項２に記載のブラジャー。 
【考案の詳細な説明】
【技術分野】
【０００１】
本考案は、カップ部を覆い、バスト部をバスト部土台下端より上方にひきあげ、特に下垂形のバスト部をバストアップすることの出来るブラジャーに関する。
【背景技術】
【０００２】
従来から、バストを寄せて持ち上げることで、バストをより高くボリューム感を強調し、しかもバスト谷間を美しく見せるための種々のブラジャー構造が提案されている。そのような目的のために、カップ下のバージスラインの下縁に縫着され、バージスラインより左右バストトップ近傍に至るバスト下方領域を覆い、上端が肩ストラップに連結して縫着された寄せ部材を設けたブラジャーが提案されている。この寄せ部材はブラジャーのカップセンター部にフックなど留める構造によりバストを寄せながら持ち上げる。（特許文献1）  
【０００３】
また、下縁がバージスラインに沿って縫着され，肩ストラップにより上方に引き上げられる左右一対のホルダーで、前中心で下方に切り込まれるようにして土台布の前中心に連結されたホルダーを有し、カップ部を部分的に厚くなるように形成するブラジャーも提案されている。（特許文献２）従来の、上記のようなブラジャーは、寄せ部材、又はホルダーをバージスラインに縫合してストラップによりバストを上方に引き上げ物であり、主として若い女性を対象とし、バストをより高く美しい形状に見せることを目的としており、肥満体、年配者を含む多くの女性が日常窮屈感なしに使用するのには無理がある。
【先行技術文献】
【特許文献】
【０００４】
【特許文献１】特開２００７-３２１２４９号号公報
【特許文献２】特開２００７-２６２６０６号公報
【考案の概要】
【考案が解決しようとする課題】
【０００５】
本考案は、カップ部を含むバスト全体をバストアップ布によってバスト部土台下端より上方に向かって引き上げ、特に下垂形のバスト部を無理なくバストアップするとともに、バスト全体が美しいふくらみを生じるように考案したブラジャーを提供することを目的とする。
【課題を解決するための手段】
【０００６】
少なくともカップ部、土台布部、バック布、ストラップを含むブラジャーにおいて、バストアップ布を設け、該バストアップ布の下端が土台布下縁に、バストアップ布の両脇部がバック布と接合する土台布の両脇一部に縫着され、土台布中央からカップ部を被覆して左右対称に上方に延び、上端においてストラップに縫着される。
バストアップ布は、ブラジャーのカップ部に縫着又は接着されておらず、バストは、ストラップに結合されたバストアップ布によってブラジャー土台布下縁より上方に引き上げられる。バストアップ布は、通気性と共に伸縮性に富んだパワーネットを使用することが好ましい。
【考案の効果】
【０００７】
本考案のブラジャーは、カップ部を含むバスト全体をバスト部土台下縁より上方にひきあげるように構成したので、特に下垂形のバスト部をバストアップするとともに、バスト全体が好ましいふくらみを生じるようにしたものであり、胸部の締め付けによる血行阻害を生じない。
本考案のブラジャーを着用すると、胸部のふくらみが適度に補正され、下垂バストが気になる女性、年配の女性にとっても窮屈感がなく胸部を美しく整えることが出来る。
【図面の簡単な説明】
【０００８】
【図１】図１は、本考案のブラジャーを示す正面図である。
【図２】図２は、本考案のブラジャー背面の第一の実施態様を示す背面図である。
【図３】図３は、本考案のブラジャー背面の第二の実施態様を示す背面図である。
【考案を実施するための形態】
【０００９】
本考案のブラジャー本体１は、図１に示すように、バストの形状に合わせた凸状カップ部２，２と、カップ部２，２の下縁に沿ったバージスライン３の下方においてカップ部２，２に縫着されたブラジャー土台布４を有する。カップ部２，２は、特に限定はされないが、ウレタン成形による無縫製カップで形成し、バージスライン３下方の土台布４は非伸縮性素材もしくは、伸縮性の強い素材で形成する。カップ表面は、適宜表面を伸縮性素材で覆い、土台布下端はテープ等を縫着するなど、常法により処理する。土台布のブラジャー脇線５には必要に応じ、ソフトボーンを挿入して縫製することが出来る。
【００１０】
本考案ブラジャーの特徴は、ブラジャー土台布４の下端縁６に縫着され、脇線５の下方部分Ｘ―Ｘに縫合されたバストアップ布７を設けたことにある。バストアップ布７は、ブラジャー土台布４の下端縁６から左右対称の形状でカップ部２，２の下方より任意の範囲で、即ち、バストトップより下からバストカップ部２，２の下方を被覆しながらバスト中央付近からほぼ左右対称に上方のストラップ９，９方向に伸び、バストアップ布７の上端がストラップ９、９の任意の箇所に縫着される。
【００１１】
バストアップ布７は、通気性とともに伸縮性に富んだパワーネットを使用する。バストアップ布７は、カップ部２，２の表面と接するが、カップ部２，２に接合されることなく縫着されたストラップ９，９によりカップ部２，２を上方に引き上げる。このように、バストアップ布７によってバストを引き上げることにより、特に下垂形の乳房を有する女性にはバスト全体を無理なく引き上げる効果がある。しかも、このバストアップ布７は、ブラジャー土台布４の脇線５部分において、立ち上がり部分Ｘの高さを有して腕下を引き締めているため、無理なバストアップにより脇下皮膚にたるみが生じることがなく、外観が良いばかりでなく快適に使用することができる。１０は、カップ部２，２及び土台布４に接合された脇下布である。
【００１２】
本考案のブラジャー本体１のストラップ９は、従来使用されていると同様の長さ調整具１１を有し、着用者がストラップ９の長さを自由に調整することによりバストアップ布７のバスト引き上げ力を調整することができるように構成されている。図２に示したブラジャー後身頃１２は、上記したバストアップ布７と同一の素材を用いて形成した場合を示している。即ち、通気性とともに伸縮性に富んだパワーネットを使用する。この具体例の場合は、背中の掛け止め具を使用しないので、より、着用が容易であり窮屈感がない。
【００１３】
図１及び図２に示した本考案のブラジャーの具体例においては、布端にスカラップ１３を形成したパワーネット地を用い、バストアップ布７の前あき端とブラジャー後身頃１２の下端にスカラップを使用しているので、ブラジャー全体を薄手に形成することが出来、外観上も好ましいものである。
【００１４】
図３は、第二の実施態様による本考案ブラジャーの背面を示す。この実施態様は、通常のブラジャーの背面形状と同様に、脇線５から延びる帯状の伸縮性素材よりなる背面布１４，１４を背部中央に掛け止め具１５を設け、左右互いに係脱自在にされている。
【００１５】
本考案によるバストアップ布つきブラジャーは、特に下垂形のバスト部をバストアップするとともに、バスト全体が好ましいふくらみを生じるようにするものである。本考案のブラジャーは、着用時に窮屈感がなく胸部のふくらみが適度に補正されるので、特に下垂バストが気になる女性、年配の女性にとって好ましいブラジャーである。
【符号の説明】
【００１６】
１  ブラジャー本体
２  カップ部
３  バージスライン
４  ブラジャー土台布
５  脇線
６  下端縁
７  バストアップ布
８  中央部
９  ストラップ
１０  脇下布
１１  長さ調整具
１２  ブラジャー後身頃
１３  スカラップ
１４  背面布
１５  掛け止め具 
【図１】
0003150299.tif 000003
【図２】
0003150299.tif 000004
【図３】
0003150299.tif 000005